(57)【要約】【課題】本発明は、複数のカード形記録媒体の同時装着を回避できるカード接続装置を得ることにある。【解決手段】カード接続装置10は、装置本体15と、装置本体15の内部に設けられ、複数のカード形記録媒体11〜14が取り出し可能に装着される装着部20と、装置本体15に設けられた一つのスロット28とを備えている。装着部20は、複数のカード形記録媒体11〜14が取り出し可能に装着される複数の領域21〜24を有し、これら領域21〜24はカード形記録媒体11〜14の厚み方向に積層されている。スロット28は、夫々の領域21〜24にカード形記録媒体11〜14を挿入するためのものであり、領域21〜24に対応する開口形状を有している。筐体4の装着部20にストッパ33,34が設けられている。ストッパ33,34は、スロット28から一つの領域21〜24に一種類のカード形記録媒体11〜14を挿入した時に、このカード形記録媒体11〜14との接触により変位して残りの領域21〜24に対する他のカード形記録媒体11〜14の挿入を阻止する。【選択図】      図１２
2006099636.tif 000002
【特許請求の範囲】
【請求項１】
装置本体と、
上記装置本体の内部に設けられ、複数のカード形記録媒体が取り出し可能に装着される複数の領域を有するとともに、これら領域が上記カード形記録媒体の厚み方向に積層された装着部と、
上記装置本体に設けられ、上記複数の領域に対応する開口形状を有するとともに、夫々の領域に上記カード形記録媒体を挿入するための一つのスロットと、
上記筐体の装着部に設けられ、一種類のカード形記録媒体を上記スロットから一つの領域に挿入した時に、このカード形記録媒体との接触によりカード形記録媒体の厚み方向に変位して残りの領域に対する他のカード形記録媒体の挿入を阻止するストッパと、を具備したことを特徴とするカード接続装置。
【請求項２】
請求項１の記載において、上記複数のカード形記録媒体は、少なくとも幅寸法が異なるとともに、上記装着部の複数の領域は、上記カード形記録媒体に対応するように少なくとも幅寸法が異なることを特徴とするカード接続装置。
【請求項３】
請求項２の記載において、上記スロットは、上記複数の領域に対応する複数の開口部を有し、これら開口部は上記領域の積層方向に沿って互いに連通するとともに、少なくとも幅寸法が異なることを特徴とするカード接続装置。
【請求項４】
請求項１の記載において、上記装着部は、上記カード形記憶媒体の幅方向に離間する第１の端部と第２の端部とを有し、上記ストッパは上記装着部の第１および第２の端部に夫々設けられていることを特徴とするカード接続装置。
【請求項５】
請求項１又は請求項４の記載において、上記ストッパは、上記カード形記録媒体が接する複数のカム面を有し、このカム面の形状に応じて上記ストッパが上記カード形記録媒体の厚み方向に変位することを特徴とするカード接続装置。
【請求項６】
請求項５の記載において、上記ストッパは、上記カード形記録媒体が上記領域から取り出されている時に、上記複数のカム面が上記複数の領域に露出する中立位置に保持されることを特徴とするカード接続装置。
【請求項７】
請求項１の記載において、上記装着部の互いに隣り合う領域は、その少なくとも一部が上記カード形記録媒体の厚み方向に互いに重なり合うように並んでいることを特徴とするカード接続装置。
【請求項８】
請求項１の記載において、上記装置本体は、情報処理装置の筐体に組み込まれるとともに、上記筐体は、上記装着部に装着された一種類のカード形記録媒体との間でデータの読み書きを実行するコントローラを有することを特徴とするカード接続装置。
【請求項９】
筐体と、
上記筐体に収容され、複数のカード形記録媒体が取り出し可能に装着されるカード接続装置と、を有する情報処理装置であって、
上記カード接続装置は、
上記複数のカード形記録媒体が取り出し可能に装着される複数の領域を有するとともに、これら領域が上記カード形記録媒体の厚み方向に積層された装着部と、
上記複数の領域に対応する開口形状を有するとともに、夫々の領域に上記カード形記録媒体を挿入するための一つのスロットと、
一種類のカード形記録媒体を上記スロットから一つの領域に挿入した時に、このカード形記録媒体との接触によりカード形記録媒体の厚み方向に変位して残りの領域に対する他のカード形記録媒体の挿入を阻止するストッパと、を備え、
上記筐体は、上記装着部に装着された一種類のカード形記録媒体との間でデータの読み書きを実行するコントローラを有することを特徴とする情報処理装置。
【請求項１０】
請求項９の記載において、上記装着部の領域は、上記筐体の厚み方向に積層されているとともに、上記装着部の互いに隣り合う領域は、その少なくとも一部が上記筐体の厚み方向に互いに重なり合うように並んでいることを特徴とする情報処理装置。
【請求項１１】
請求項１０又は請求項１１の記載において、上記ストッパは、上記カード形記録媒体が接する複数のカム面を有し、このカム面の形状に応じて上記ストッパが上記カード形記録媒体の厚み方向に変位することを特徴とする情報処理装置。
【発明の詳細な説明】
【技術分野】
【０００１】
本発明は、例えばＳＤメモリカードやスマートメディア（Ｒ）のような複数のカード形記録媒体を選択的に取り外し可能に装着するカード接続装置、およびカード接続装置を搭載したポータブルコンピュータのような情報処理装置に関する。
【背景技術】
【０００２】
ＳＤメモリカード、スマートメディア（Ｒ）あるいはメモリスティック（Ｒ）のようなフラッシュメモリを搭載した小型のメモリカードは、例えばデジタルカメラで撮影した画像データを記録する媒体として広く用いられている。この種のメモリカードは、規格に応じて形態が異なるために、メモリカードを装着可能な情報処理装置は、規格に合致した大きさの専用のカードスロットを装備している。
【０００３】
ところが、この構成によると、規格が異なる複数のメモリカードを装着可能とするためには、情報処理装置に複数のカードスロットを設ける必要が生じてくる。このため、情報処理装置の薄型化やコンパクト化が妨げられたり、コスト高を招く原因となるといった不具合がある。
【０００４】
このことから、最近、一つのカードスロットに規格が異なる複数のメモリカードを装着してデータの読み書きを実行し得るようにしたカード接続装置が試されている。このカード接続装置は、情報処理装置の一つのスロットに差し込まれるカートリッジと、ＳＤメモリカードの規格に合致するメモリカードを差し込み可能な第１のカードスロットと、その他の規格に合致するメモリカードを差し込み可能な第２のカードスロットとを備えている。
【０００５】
この先行技術によれば、複数のメモリカードを情報処理装置の一つのスロットでサポートすることができ、規格が異なる複数のメモリカードと情報処理装置との間でのデータのやり取りを容易に行うことができる（特許文献１参照）。
【特許文献１】実用新案登録第３１００１８２号公報
【発明の開示】
【発明が解決しようとする課題】
【０００６】
特許文献１のカード接続装置によると、第１および第２カードスロットに個々にメモリカードを差し込めるために、情報処理装置に規格が異なる複数のメモリカードが同時にサポートされることがあり得る。そのため、情報処理装置は、複数のメモリカードが同時にサポートされた時に、これらメモリカードに対するデータの読み書きを同時に行えるコントローラを備えている。
【０００７】
しかしながら、複数のメモリカードに対してデータの読み書きを同時に行えるコントローラは製品自体の単価が高く、コスト的な面で不利となる。それとともに、同時に読み書きを実行するメモリカードの組み合わせによってはコントローラの動作が不安定となり、データの読み書きの信頼性が低下するといった不具合がある。
【０００８】
本発明の目的は、一つのスロットで複数のカード形記録媒体をサポート可能とする場合に、複数のカード形記録媒体の同時装着を回避することができるカード接続装置を得ることにある。
【０００９】
本発明の他の目的は、複数のカード形記録媒体の同時装着を回避することができ、データの読み書きを同時に行える高価なコントローラが不要となるとともに、データの読み書きを実行する上での信頼性が向上する情報処理装置を得ることにある。
【課題を解決するための手段】
【００１０】
上記目的を達成するため、本発明の一つの形態に係るカード接続装置は、  
装置本体と、  
上記装置本体の内部に設けられ、複数のカード形記録媒体が取り出し可能に装着される複数の領域を有するとともに、これら領域が上記カード形記録媒体の厚み方向に積層された装着部と、  
上記装置本体に設けられ、上記複数の領域に対応する開口形状を有するとともに、夫々の領域に上記カード形記録媒体を挿入するための一つのスロットと、  
上記筐体の装着部に設けられ、一種類のカード形記録媒体を上記スロットから一つの領域に挿入した時に、このカード形記録媒体との接触によりカード形記録媒体の厚み方向に変位して残りの領域に対する他のカード形記録媒体の挿入を阻止するストッパと、を備えていることを特徴としている。
【００１１】
上記目的を達成するため、本発明の一つの形態に係る情報処理装置は、筐体と、この筐体に収容され、複数のカード形記録媒体が取り出し可能に装着されるカード接続装置とを備えている。  
上記カード接続装置は、  
上記複数のカード形記録媒体が取り出し可能に装着される複数の領域を有するとともに、これら領域が上記カード形記録媒体の厚み方向に積層された装着部と、  
上記複数の領域に対応する開口形状を有するとともに、夫々の領域に上記カード形記録媒体を挿入するための一つのスロットと、  
一種類のカード形記録媒体を上記スロットから一つの領域に挿入した時に、このカード形記録媒体との接触によりカード形記録媒体の厚み方向に変位して残りの領域に対する他のカード形記録媒体の挿入を阻止するストッパと、を備えており、
上記筐体は、上記装着部に装着された一種類のカード形記録媒体との間でデータの読み書きを実行するコントローラを有することを特徴としている。
【発明の効果】
【００１２】
本発明によれば、装着部の一つの領域に一種類のカード形記録媒体を装着した状態では、残りの領域に対する他のカード形記録媒体の装着が制限される。このため、複数のカード形記録媒体の同時装着を回避することができ、同時に読み書きを行える高価なコントローラが不要となるとともに、読み書きを実行する上での信頼性が向上する。
【発明を実施するための最良の形態】
【００１３】
以下本発明の実施の形態を、ポータブルコンピュータに適用した図面に基づいて説明する。
【００１４】
図１は、情報処理装置の一例であるポータブルコンピュータ１を開示している。ポータブルコンピュータ１は、コンピュータ本体２と、このコンピュータ本体２に支持されたディスプレイユニット３とを備えている。コンピュータ本体２は、筐体４を有している。筐体４は、上壁４ａ、左右の側壁４ｂ、前壁４ｃおよび底壁（図示せず）を有する偏平な箱状をなしている。筐体４の上壁４ａは、キーボード５を支持している。
【００１５】
ディスプレイユニット３は、ディスプレイハウジング６と、このディスプレイハウジング６に収容された液晶表示パネル７とを備えている。ディスプレイハウジング６は、筐体４の後端部に図示しないヒンジを介して連結され、閉じ位置と開き位置との間で回動可能となっている。液晶表示パネル７は、表示画面７ａを有している。表示画面７ａは、ディスプレイハウジング６の前面に形成した開口部８を通じてディスプレイハウジング６の外に露出している。
【００１６】
図１に示すように、ポータブルコンピュータ１の筐体４は、カード接続装置１０を収容している。カード接続装置１０は、例えばスマートメディア（Ｒ）１１、ＳＤメモリカード１２、メモリスティック（Ｒ）１３、ｘＤピクチャーカード１４および図示しないＭＭＣカードのような五種類のカード形記録媒体を選択的に取り外し可能に装着するものである。
【００１７】
この五種類のカード形記録媒体のサイズを比較してみると、図２に示すように、スマートメディア（Ｒ）１１は、その他のカード形記録媒体と比較して厚み寸法(d)こそ最小であるものの、幅寸法(w)が最も大きい。ＳＤメモリカード１２とＭＭＣカードは、同じＳＤＭＩ規格に準拠するものであり、厚み寸法(d)がスマートメディア（Ｒ）１１よりも大きく、幅寸法(w)がスマートメディア（Ｒ）１１よりも小さい。メモリスティック（Ｒ）１３は、厚み寸法(d)および長さ寸法(h)がＳＤメモリカード１２よりも大きく、幅寸法(w)がＳＤメモリカード１２よりも小さい。さらに、ｘＤピクチャーカード１４は、幅寸法(w)がＳＤメモリカード１２と略同等である反面、厚み寸法(d)がＳＤメモリカード１２よりも大きくなっている。
【００１８】
このような五種類のカード形記録媒体を装着可能なカード接続装置１０は、合成樹脂製の装置本体１５を備えている。装置本体１５は、偏平な箱状をなすとともに、筐体４に収容されたプリント配線板１６（図８に示す）の上面に実装されている。
【００１９】
装置本体１５は、ベース１７と、このベース１７の上に重ねられたトップカバー１８とを備えている。ベース１７の内部に五種類のカード形記録媒体を装着する装着部２０が形成されている。装着部２０は、スマートメディア（Ｒ）１１に対応する第１の領域２１と、ＳＤメモリカード１２およびＭＭＣカードに対応する第２の領域２２と、ｘＤピクチャーカード１４に対応する第３の領域２３と、メモリスティック（Ｒ）１３に対応する第４の領域２４とを備えている。
【００２０】
第１ないし第４の領域２１〜２４は、カード形記録媒体の厚み方向、言い換えると筐体４の厚み方向に沿って互いに積層されている。第１の領域２１は、ベース１７の上面とトッププレート１８との間に形成され、装着部２０の最上位に位置している。この第１の領域２１は、装置本体１５の全幅に亘るような幅寸法を有している。
【００２１】
第２の領域２２は、第１の領域２１の下方に位置しており、その幅寸法が第１の領域２１よりも小さく形成されている。このため、装着部２０は、第１の領域２１と第２の領域２２との間に進出する一対の仕切り壁２５ａ，２５ｂを有している。これら仕切り壁２５ａ，２５ｂは、第１および第２の領域２１，２２の幅方向に沿う一端および他端に位置している。第１の領域２１に装着されるスマートメディア（Ｒ）１１は、仕切り壁２５ａ，２５ｂの上に載置されるようになっている。
【００２２】
第３の領域２３は、第２の領域２２よりも下方にずれた位置にあり、その幅寸法が第２の領域２２よりも大きく形成されている。さらに、第２の領域２２と第３の領域２３とは、ＳＤメモリカード１２およびｘＤピクチャーカード１４の厚み方向に互いに重なり合うように並んでいる。このため、第３の領域２３は、その底および幅方向に沿う一端および他端を除く範囲が第２の領域２２と共通化されている。この結果、装着部２０は、第３の領域２３に対応した位置にｘＤピクチャーカード１４の幅方向に沿う一端および他端が入り込むガイド溝２６ａ，２６ｂと、ｘＤピクチャーカード１４の下面を避ける凹部２７とを有している。
【００２３】
第４の領域２４は、第２および第３の領域２２，２３と完全に重なり合っており、上記装着部２０の凹部２７と仕切り壁２５ａ，２５ｂとの間に位置している。
【００２４】
図５ないし図７に示すように、装置本体１５は、一つのスロット２８を備えている。スロット２８は、五種類のカード形記録媒体を夫々が対応する第１ないし第４の領域２１〜２４に挿入するためのものである。スロット２８は、第１ないし第３の領域２１〜２３に対応する第１ないし第３の開口部２８ａ，２８ｂ，２８ｃを有している。第１ないし第３の開口部２８ａ，２８ｂ，２８ｃは、幅寸法および厚み寸法が互いに相違している。第１ないし第３の開口部２８ａ、２８ｂ，２８ｃは、第１ないし第３の領域２１〜２３の積層方向に沿って互いに連通するとともに、これら領域２１〜２３を連続して取り囲むような開口形状を有している。
【００２５】
スロット２８は、装置本体１５の一端面に形成されている。このスロット２８を含む装置本体１５の一端面は、側壁４ｂに形成した切り欠き２９を通じてポータブルコンピュータ１の外方に露出している。
【００２６】
装置本体１５は、五種類のカード形記録媒体に電気的に接する複数の接続端子（図示せず）を有している。接続端子は、インタフェースコネクタ３０を介して図８に示すコントローラ３１に電気的に接続されている。コントローラ３１は、五種類のカード形記録媒体との間で個々にデータの読み書きを実行するためのものであり、筐体４内のプリント配線板１６に実装されている。
【００２７】
図４に示すように、カード接続装置１０の装着部２０は、カード形記録媒体の幅方向に離間する第１の端部２０ａと第２の端部２０ｂとを有している。これら第１および第２の端部２０ａ，２０ｂに夫々ストッパ３３，３４が設置されている。ストッパ３３，３４は、五種類のカード形記録媒体のうち、いずれか一つのカード形記録媒体が装着部２０に装着された時に、その他のカード形記録媒体が同時に装着部２０に装着されるのを防ぐためのものである。ストッパ３３，３４は、互いに同一の構成を有するため、一方のストッパ３３を代表して説明する。
【００２８】
図４および図１０に示すように、ストッパ３３は、仕切り壁２５ａに設けた凹所３５に設置されている。凹所３５は、スロット２８の直後に位置するとともに、第１〜第４の領域２１〜２４に開口している。ストッパ３３は、平坦な板状をなしており、その下面に下向きに突出する一対のガイド脚３６ａ，３６ｂを有している。ガイド脚３６ａ，３６ｂは、互いに間隔を存して平行に配置されているとともに、上記凹所３５の底に開けた一対のガイド孔３７ａ，３７ｂを摺動可能に貫通している。ガイド脚３６ａ，３６ｂの先端に夫々係合爪３８が形成されている。係合爪３８は、凹所３５の下面に引っ掛かるようになっている。
【００２９】
そのため、ストッパ３３は、ガイド脚３６ａ，３６ｂをガイドとしてカード形記録媒体の厚み方向に沿って上下動可能に仕切り壁２５ａに支持されている。
【００３０】
ストッパ３３は、第１の領域２１の幅方向に沿う中央部に向けて突出する延出部４０を有している。延出部４０は、第２および第４の領域２２，２４の上部に位置するとともに、その前端がスロット２８と向かい合っている。さらに、ストッパ３３の下面に凸部４１が形成されている。凸部４１は、ストッパ３３の下面から上記第３の領域２３のガイド溝２６ａに向けて突出している。
【００３１】
図９および図１０に示すように、ストッパ３３は、第１ないし第３のカム面４２ａ，４２ｂ，４２ｃを有している。第１のカム面４２ａは、ストッパ３３の上面と前面とで規定される角部に位置し、スロット２８の方向に進むに従い下向きに傾斜している。この第１のカム面４２ａは第１の領域２１に位置している。
【００３２】
第２のカム面４２ｂは、延出部４０の前面と下面とで規定される角部に位置している。第２のカム面４２ｂは、スロット２８から遠ざかるに従い下向きに傾斜しており、第１のカム面４２ａとでは傾斜方向が逆向きとなっている。第２のカム面４２ｂは、第２および第４の領域２２，２４の上部に位置している。
【００３３】
第３のカム面４２ｃは、凸部４１の前面と下面とで規定される角部に位置している。第３のカム面４２ｃは、スロット２８から遠ざかるに従い下向きに傾斜しており、第１のカム面４２ａとでは傾斜方向が逆向きとなっている。第３のカム面４２ｃは、第１および第２のカム面４２ａ，４２ｂよりも下方に位置するとともに、第３の領域２３の一側部に位置している。
【００３４】
図１０に示すように、ストッパ３３と凹所３５の底との間に板ばね４４が介在されている。板ばね４４は、ストッパ３３を凹所３５の底から押し上げており、これによりストッパ３３が図１１に示す中立位置に保持されている。中立位置では、ストッパ３３は装着部２０の高さ方向に沿う中間部に位置している。このため、第１ないし第３のカム面４２ａ，４２ｂ，４２ｃが夫々第１ないし第４の領域２１〜２４に露出するとともに、スロット２８と向かい合っている。
【００３５】
図１２および図１３は、装着部２０の第１の領域２１にスマートメディア（Ｒ）１１を装着する状態を開示している。スマートメディア（Ｒ）１１は、スロット２８の第１の開口部２８ａから装着部２０の上端の第１の領域２１に向けて差し込まれる。スロット２８の直後に位置するストッパ３３は、装着部２０が空の状態にある限り中立位置に保持されており、その第１のカム面４２ａが第１の領域２１に露出している。
【００３６】
このため、図１３に破線で示すように、スマートメディア（Ｒ）１１をスロット２８から第１の領域２１に挿入すると、スマートメディア（Ｒ）１１の先端縁がストッパ３３の第１のカム面４２ａに突き当たる。第１のカム面４２ａは、スロット２８の方向に進むに従い下向きに傾斜しているので、この第１のカム面４２ａにスマートメディア（Ｒ）１１が突き当たった時点でストッパ３３に下向きの力が作用する。よって、ストッパ３３が板ばね４４の付勢力に抗して押し下げられ、スマートメディア（Ｒ）１１が第１の領域２２に導かれる。
【００３７】
この結果、図１２に示すように、ストッパ３３の延出部４０が第２の領域２２、第４の領域２４に張り出すとともに、ストッパ３３の凸部４１が第３の領域２３に張り出す。
【００３８】
したがって、スマートメディア（Ｒ）１１を第１の領域２１に挿入した状態で、例えば第２の領域２２にＳＤメモリカード１２を挿入しようとした場合、ＳＤメモリカード１２の先端縁がストッパ３３の延出部４０の前端に突き当たる。同様に、メモリスティック（Ｒ）１３を第４の領域２４に挿入しようとした場合は、このメモリスティック（Ｒ）１３の先端縁が延出部４０の前端に突き当たる。そのため、ストッパ３３の延出部４０がＳＤメモリカード１２およびメモリスティック（Ｒ）１３の挿入を阻止する。
【００３９】
さらに、ｘＤピクチャーカード１４を第３の領域２３に挿入しようとした場合、ｘＤピクチャーカード１４の先端縁が凸部４１に突き当たる。このため、ストッパ３３の凸部４１がｘＤピクチャーカード１４の挿入を阻止する。
【００４０】
よって、スマートメディア（Ｒ）１１が第１の領域２１に装着されている限り、残りの第２ないし第４の領域２２〜２４にＳＤメモリカード１２のようなその他のカード形記録媒体を挿入することができなくなる。
【００４１】
図１４および図１５は、装着部２０の第２の領域２２にＳＤメモリカード１２又はＭＭＣカードを挿入する状態を開示している。ＳＤメモリカード１２又はＭＭＣカードは、スロット２８の第２の開口部２８ｂから装着部２０の第２の領域２２に向けて差し込まれる。スロット２８の直後に位置するストッパ３３は、装着部２０が空の状態にある限り中立位置に保持されており、その第２のカム面４２ｂが第２の領域２２に露出している。
【００４２】
このため、図１５に破線で示すように、ＳＤメモリカード１２又はＭＭＣカードをスロット２８から第２の領域２２に挿入すると、ＳＤメモリカード１２又はＭＭＣカードの先端縁が第２のカム面４２ｂに突き当たる。第２のカム面４２ｂは、スロット２８から遠ざかるに従い下向きに傾斜しているので、第２のカム面４２ｂにＳＤメモリカード１２又はＭＭＣカードの先端縁が突き当たった時点でストッパ３３に上向きの力が作用する。これにより、ストッパ３３が中立位置よりも高い位置まで押し上げられ、ＳＤメモリカード１２又はＭＭＣカードが第２の領域２２に導かれるとともに、ストッパ３３の上部および延出部４０が第１の領域２１に大きく張り出す。
【００４３】
したがって、ＳＤメモリカード１２又はＭＭＣカードを第２の領域２２に装着した状態で、例えば第１の領域２１にスマートメディア（Ｒ）１１を挿入しようとした場合、スマートメディア（Ｒ）１１の先端縁がストッパ３３および延出部４０に突き当たる。しかも、第２の領域２２は、その少なくとも一部を共用するように第３および第４の領域２３，２４と重なり合っている。したがって、第２の領域２２にＳＤメモリカード１２又はＭＭＣカードが装着されている限り、このＳＤメモリカード１２又はＭＭＣカードが邪魔となって第３および第４の領域２３，２４にｘＤピクチャーカード１４およびメモリスティック（Ｒ）１３を挿入することができなくなる。
【００４４】
よって、ＳＤメモリカード１２又はＭＭＣカードを第２の領域２２に装着した状態では、残りの領域２１，２３，２４にｘＤピクチャーカード１４のようなその他のカード形記録媒体を挿入することができなくなる。
【００４５】
図１６および図１７は、装着部２０の第３の領域２３にｘＤピクチャーカード１４を挿入する状態を開示している。ｘＤピクチャーカード１４は、スロット２８の第３の開口部２８ｃから装着部２０の第３の領域２３に向けて差し込まれる。スロット２８の直後に位置するストッパ３３は、装着部２０が空の状態にある限り中立位置に保持されており、その第３のカム面４２ｃが第３の領域２３に露出している。
【００４６】
このため、図１７に破線で示すように、ｘＤピクチャーカード１４をスロット２８から第３の領域２３に挿入すると、ｘＤピクチャーカード１４の先端縁がストッパ３３の第３のカム面４２ｃに突き当たる。第３のカム面４２ｃは、スロット２８から遠ざかるに従い下向きに傾斜しているので、第３のカム面４２ｃにｘＤピクチャーカード１４の先端縁が突き当たった時点でストッパ３３に上向きの力が作用する。これにより、ストッパ３３が中立位置よりも高い位置まで押し上げられ、ｘＤピクチャーカード１４が第３の領域２３に導かれるとともに、ストッパ３３の上部および延出部４０が第１の領域２１に大きく張り出す。
【００４７】
したがって、ｘＤピクチャーカード１４を第３の領域２３に装着した状態で、例えば第１の領域２１にスマートメディア（Ｒ）１１を挿入しようとした場合、スマートメディア（Ｒ）１１の先端縁がストッパ３３および延出部４０に突き当たる。しかも、第３の領域２３は、その少なくとも一部を共用するように第２および第４の領域２２，２４と重なり合っているので、第３の領域２３にｘＤピクチャーカード１４が装着されている限り、このｘＤピクチャーカード１４が邪魔となって第２および第４の領域２２，２４にＳＤメモリカード１２のようなその他のカード形記録媒体を挿入することができなくなる。
【００４８】
よって、ｘＤピクチャーカード１４を第３の領域２３に装着した状態では、残りの領域２１，２２，２４にメモリスティック（Ｒ）１３のようなその他のカード形記録媒体を挿入することができなくなる。
【００４９】
さらに、第４の領域２４にメモリスティック（Ｒ）１３を差し込んだ場合、ＳＤメモリカード１２を第２の領域２２に装着した時と同様に、メモリスティック（Ｒ）１３の先端縁がストッパ３３の第２のカム面４２ｂに接触する。そのため、ストッパ３３が中立位置よりも上方に押し上げられ、第１の領域２１へのスマートメディア（Ｒ）の挿入を阻止する。それとともに、第４の領域２４にメモリスティック（Ｒ）１３が装着されている限り、このメモリスティック（Ｒ）１３が邪魔となって第２および第３の領域２２，２３にＳＤメモリカード１２のようなその他のカード形記録媒体を挿入することができなくなる。
【００５０】
このような構成によれば、装着部２０の第１ないし第４の領域２１〜２４のいずれかに一種類のカード形記録媒体を装着すると、ストッパ３３，３４が第１ないし第３のカム面４２ａ，４２ｂ，４２ｃの形状に応じて上下方向に変位する。これにより、残りの領域２１〜２４に対するカード形記録媒体の挿入が制限される。
【００５１】
このため、装着部２０に二種類のカード形記録媒体を同時に装着することができなくなり、カード形記録媒体とコントローラ３１との間でデータの読み書きを実行するに際して、複数のカード形記録媒体との間で同時に読み書きを可能とする高価なコントローラが不要となる。
【００５２】
言い換えると、一つの装着部２０に五種類のカード形記録媒体を選択的に装着するに際して、コントローラ３１が一つのカード形記録媒体との間でしかデータの読み書きを行えなくとも、カード形記録媒体との間でのデータの読み書きを安定して行うことができる。
【００５３】
したがって、カード接続装置１０のコストを低減できるとともに、カード形記録媒体との間でのデータの読み書きの信頼性が向上するといった利点がある。
【００５４】
さらに、上記実施の形態によると、装着部２０の第２ないし第４の領域２２〜２４は、その少なくとも一部を共用するように互いに重なり合っている。このため、装着部２０の厚み寸法を小さく抑えて、カード接続装置１０を薄くコンパクトに形成することができ、ポータブルコンピュータ１の筐体４の内部に無理なく組み込むことができる。
【００５５】
なお、上記実施の形態では、五種類のカード形記録媒体が装着可能なカード接続装置を例に掲げて説明したが、本発明はこれに制約されない。例えば装着部に二種類のカード形記録媒体を装着可能なカード接続装置にも同様に実施可能である。さらに、カード形記録媒体の形状についても上記実施の形態に特定されず、装着部に装着すべきカード形記録媒体の形状が互いに同一であってもよい。
【００５６】
また、本発明に係る情報処理装置はポータブルコンピュータに限らず、例えばデジタルカメルあるいはＰＤＡ(Personal Digital Assistant)のようなその他の機器でも同様に実施可能である。
【図面の簡単な説明】
【００５７】
【図１】本発明の実施の形態に係るポータブルコンピュータの斜視図。
【図２】カード接続装置と、このカード接続装置に装着可能なカード形記録媒体の形状を示す斜視図。
【図３】スロットの開口形状を示すカード接続装置の斜視図。
【図４】スロットに連なる装着部の形状を示すカード接続装置の斜視図。
【図５】装着部の第１の領域にスマートメディア（Ｒ）を装着した状態において、スロットとスマートメディア（Ｒ）との位置関係を示すカード接続装置の正面図。
【図６】装着部の第２の領域にＳＤメモリカードを装着した状態において、スロットとＳＤメモリカードとの位置関係を示すカード接続装置の正面図。
【図７】装着部の第３の領域にｘＤピクチャーカードを装着した状態において、スロットとｘＤピクチャーカードとの位置関係を示すカード接続装置の正面図。
【図８】ポータブルコンピュータの内部にカード接続装置を組み込んだ状態を示す平面図。
【図９】ストッパの斜視図。
【図１０】ストッパを装置本体に取り付けた状態を示す断面図。
【図１１】中立位置に保持されたストッパとスロットとの位置関係を示すカード接続装置の正面図。
【図１２】装着部の第１の領域にスマートメディア（Ｒ）を装着した状態において、ストッパとスロットとの位置関係を示すカード接続装置の正面図。
【図１３】スマートメディア（Ｒ）の先端とストッパの第１のカム面との位置関係を示す側面図。
【図１４】装着部の第２の領域にＳＤメモリカードを装着した状態において、ストッパとスロットとの位置関係を示すカード接続装置の正面図。
【図１５】ＳＤメモリカードの先端とストッパの第２のカム面との位置関係を示す側面図。
【図１６】装着部の第３の領域にｘＤピクチャーカードを装着した状態において、ストッパとスロットとの位置関係を示すカード接続装置の正面図。
【図１７】ｘＤピクチャーカードの先端とストッパの第３のカム面との位置関係を示す側面図。
【符号の説明】
【００５８】
４…筐体、１０…カード接続装置、１１，１２，１３，１４…カード形記録媒体（スマートメディア（Ｒ）、ＳＤメモリカード、メモリスティック（Ｒ）、ｘＤピクチャーカード）、１５…装置本体、２０…装着部、２１，２２，２３，２４…領域（第１ないし第４の領域）、２８…スロット、３３，３４…ストッパ。
【図１】
2006099636.tif 000003
【図２】
2006099636.tif 000004
【図３】
2006099636.tif 000005
【図４】
2006099636.tif 000006
【図５】
2006099636.tif 000007
【図６】
2006099636.tif 000008
【図７】
2006099636.tif 000009
【図８】
2006099636.tif 000010
【図９】
2006099636.tif 000011
【図１０】
2006099636.tif 000012
【図１１】
2006099636.tif 000013
【図１２】
2006099636.tif 000014
【図１３】
2006099636.tif 000015
【図１４】
2006099636.tif 000016
【図１５】
2006099636.tif 000017
【図１６】
2006099636.tif 000018
【図１７】
2006099636.tif 000019